(57)【特許請求の範囲】
【請求項１】
円筒状の容器本体と、
前記容器本体の一方の開口孔側より容器本体内部に挿入され、着脱自在に嵌合するカートリッジを備え、
前記容器本体とカートリッジとの相対回転によって、前記カートリッジ内の棒状化粧材を進退させるカートリッジ式棒状化粧材の化粧材容器において、
両端に化粧用備品を設けた化粧用備品部材を備え、
前記化粧用備品部材は、ほぼ中央に雄ネジを形成し、この雄ネジより軸方向両側に伸びるほぼ同径の棒状部とから形成され、
前記棒状部の両端にそれぞれ化粧用備品が固着されるとともに、前記棒状部にキャップが着脱自在に係合され、
前記容器本体の他方の開口孔の内面に螺旋溝を設け、
前記化粧用備品部材は、前記雄ネジを介して前記他方の開口孔の内面の螺旋溝に着脱可能に螺合されることを特徴とするカートリッジ式棒状化粧材容器。
【請求項２】
前記容器本体はプラスティックの成型用金型を用いて製作され、前記螺旋溝は前記一方の開口孔側内面に軸方向に延設された係合条部とともに前記容器本体内面に形成され、前記係合条部は前記一方の開口孔側より挿入されるカートリッジと係合することを特徴とする請求項１に記載のカートリッジ式棒状化粧材容器。
【請求項３】
前記化粧用備品部材の両端に取り付けられる化粧用備品は、交換可能なことを特徴とする請求項１又は２に記載のカートリッジ式棒状化粧材容器。
【請求項４】
円筒状の容器本体と、
前記容器本体の一方の開口孔側より容器本体内部に挿入され、着脱自在に嵌合するカートリッジを備え、
前記容器本体とカートリッジとの相対回転によって、前記カートリッジ内の棒状化粧材を進退させるカートリッジ式棒状化粧材の化粧材容器において、
両端に化粧用備品を設けた化粧用備品部材を備え、
前記化粧用備品部材は、中央の筒部と、筒部の両側に延設される棒状部とを備え、
前記棒状部端部はそれぞれ化粧用備品を固着可能な形状を有していると共に、前記筒部外面に前記容器本体内面と摩擦抵抗を生じる弾性体が巻装され、
前記化粧用備品部材は、前記容器本体の他方の開口孔側より、前記筒部を介して容器本体内に着脱可能に係合することを特徴とするカートリッジ式棒状化粧材容器。
【請求項５】
前記化粧用備品部材の筒部外面に巻装される弾性体がＯリングであることを特徴とする請求項４に記載のカートリッジ式棒状化粧材繰出容器。
【請求項６】
前記化粧用備品部材の筒部は両側の棒状部より大径に形成され、前記容器本体内面に段部を形成し、前記筒部の端面が当接することを特徴とする請求項４または５に記載のカートリッジ式棒状化粧材繰出容器。
【請求項７】
前記容器本体の他方の開口端面より突出している化粧用備品部材の棒状部に対し、前記キャップが着脱自在に嵌着されていることを特徴とする請求項４から６のいずれか一つに記載のカートリッジ式棒状化粧材繰出容器。
【請求項８】
前記化粧用備品部材の棒状部に雄ネジを形成し、前記キャップに設けられた雌ネジがこの雄ネジに螺合することによって、前記キャップを前記棒状部に螺合したまま、前記容器本体内より前記化粧用備品部材を引き抜き可能としたことを特徴とする請求項４から７のいずれか一つに記載のカートリッジ式棒状化粧材繰出容器。
【発明の詳細な説明】
【０００１】
【発明の属する技術分野】
本発明は、カートリッジ式棒状化粧材が着脱自在に嵌合される化粧材容器において、その棒状化粧材を塗布する際に使用する塗布具（化粧用備品）を複数併せ持つ棒状化粧材容器に関する。
【０００２】
【従来の技術】
カートリッジ式の棒状化粧材容器のカートリッジに内蔵された棒状化粧材は、例えばアイブロウ、アイライナー、リップライナー等であるが、一本の容器本体に対してそれぞれのカートリッジが交換可能なため、従来の単一な製品よりもリーズナブルに使用できるものであり、そのため、広く一般に利用されている。
【０００３】
これら棒状化粧材を用いる化粧法においては、アイブロウのように眉毛にぼかしながら使用するものには、これをぼかすためのやや硬めのチップやブラシを必要とし、アイライナーのように目の周辺を縁取ったりするものには、まぶたのようなデリケートな部位を考慮した柔らかなチップを使用してぼかしたり、またリップライナーにおいては当然ながらリップブラシを用いて口紅との境目をぼかすなど、使用する棒状化粧材の材質や使用部位によって、その対応にふさわしい棒状化粧材用の備品が使用されている。
【０００４】
そのため、現状では便宜を図ってほとんどのカートリッジタイプの棒状化粧材の容器本体の後方には、マスカラブラシやチップ等が固着された状態で販売されている。
【０００５】
【発明が解決しようとする課題】
前述したように、一つの容器本体で様々なタイプの棒状化粧材のカートリッジに対応するため、例えば本体に固着された化粧用備品がマスカラブラシであるとすると、リップライナーやアイライナーなどには適応しないものとなり、カートリッジを交換した際には別個にリップブラシなりアイライナーをぼかすチップなりを用意せねばならなくなる。そのため、使用者からは出来れば着脱するカートリッジ内部に包括された棒状化粧材にあわせ、それに適応する化粧用備品を容器本体の後方に交換可能に取り付けられれば、と言う要請が出てきた。しかも携帯性や美観を考慮して、なるべく容器本体を太くすることなくスマートな外観を保ちつつも、多くの備品を交換可能にすることが必要となってきた。
【０００６】
過去に市場に、容器本体に取り替え可能な化粧用備品を複数セットし、ケースに詰めて販売した商品が出たことがあるが、カートリッジ交換の際にはいちいち備品を取り外して交換して装着せねばならず、結果ケースごと持ち運ばねばならなくなり、かえって携帯性や利便性を損なう結果となっていた。
【０００７】
【課題を解決するための手段】
第１の発明は、円筒状の容器本体と、前記容器本体の一方の開口孔側より容器本体内部に挿入され、着脱自在に嵌合するカートリッジを備え、前記容器本体とカートリッジとの相対回転によって、前記カートリッジ内の棒状化粧材を進退させるカートリッジ式棒状化粧材の化粧材容器において、両端に化粧用備品を設けた化粧用備品部材を備え、前記化粧用備品部材は、ほぼ中央に雄ネジを形成し、この雄ネジより軸方向両側に伸びるほぼ同径の棒状部とから形成され、前記棒状部の両端にそれぞれ化粧用備品が固着されるとともに、前記棒状部にキャップが着脱自在に係合され、前記容器本体の他方の開口孔の内面に螺旋溝を設け、前記化粧用備品部材は、前記雄ネジを介して前記他方の開口孔の内面の螺旋溝に着脱可能に螺合される。
【０００９】
第２の発明は、前記容器本体はプラスティックの成型用金型を用いて製作され、前記螺旋溝は前記一方の開口孔側内面に軸方向に延設された係合条部とともに前記容器本体内面に形成され、前記係合条部は前記一方の開口孔側より挿入されるカートリッジと係合する。
【００１１】
第３の発明は、前記化粧用備品部材の両端に取り付けられる化粧用備品は、交換できる。
【００１２】
第４の発明は、円筒状の容器本体と、前記容器本体の一方の開口孔側より容器本体内部に挿入され、着脱自在に嵌合するカートリッジを備え、前記容器本体とカートリッジとの相対回転によって、前記カートリッジ内の棒状化粧材を進退させるカートリッジ式棒状化粧材の化粧材容器において、両端に化粧用備品を設けた化粧用備品部材を備え、前記化粧用備品部材は、中央の筒部と、筒部の両側に延設される棒状部とを備え、前記棒状部端部はそれぞれ化粧用備品を固着可能な形状を有していると共に、前記筒部外面に前記容器本体内面と摩擦抵抗を生じる弾性体が巻装され、前記化粧用備品部材は、前記容器本体の他方の開口孔側より、前記筒部を介して容器本体内に着脱可能に係合する。
【００１３】
第５の発明は、前記化粧用備品部材の筒部外面に巻装される弾性体がＯリングである。
【００１４】
第６の発明は、前記化粧用備品部材の筒部は両側の棒状部より大径に形成され、前記容器本体内面に段部を形成し、前記筒部の端面が当接する。
【００１５】
第７の発明は、前記容器本体の他方の開口端面より突出している化粧用備品部材の棒状部に対し、前記キャップが着脱自在に嵌着されている。
【００１６】
第８の発明は、前記化粧用備品部材の棒状部に雄ネジを形成し、前記キャップに設けられた雌ネジがこの雄ネジに螺合することによって、前記キャップを前記棒状部に螺合したまま、前記容器本体内より前記化粧用備品部材を引き抜き可能とした。
【００１７】
【発明の作用および効果】
第１の発明においては、容器本体の一方の開口孔から容器本体内に挿入され、両端部にそれぞれ、チップやマスカラブラシ、リップブラシなどの化粧用備品を設けた化粧用備品部材を容器本体に着脱可能に装着することにより、使用者は化粧用備品使用時には突出している化粧用備品を使用すればよく、さらに、突出していない別の端(容器本体内側)の化粧用備品を使用するには、化粧用備品部材を容器本体より引き抜き、前後を入れ替えて開口孔に再び装着し、所望の備品を開口孔より露出させればよい。
【００１８】
すなわち、従来においては取り外し不可の単品の化粧用備品や、または単品の化粧用備品を複数揃えてカートリッジのように付け替えて使用するしかなかったものが、容器本体と着脱可能な化粧用備品部材を採用することにより、前後を入れ替えるだけで一本のカートリッジ式棒状化粧材繰出容器に対し、単品でありながらも複数の備品を使用可能とすることができる。
また、両端に化粧用備品を固着した化粧用備品部材を挿入できる両端開口状の容器本体の一方の開口孔の内面に螺旋溝を設け、化粧用備品部材のほぼ中央に雄ネジを形成し、この雄ネジと容器本体の螺旋溝とを螺合して、着脱自在とするものである。
また、着脱可能に装着されるキャップを備えるので、キャップの取り外しが容易であると共に、装着時に化粧用備品部材の棒状部と嵌合するため、他に外径に影響を与える部材等が介在しないので、容器本体の外径は最小を保つことが出来る。
【００２０】
第２の発明においては、容器本体は、プラスティックの成形用金型で、螺旋溝、及び係合条部を一度に製作することが可能であるので、一部材のみで容器本体を形成でき、コストを抑制することができる。
【００２２】
第３の発明においては、前記化粧用備品部材の両端に取り付けられる化粧用備品が、交換可能になっており、棒状化粧材に対応した化粧用備品に交換することができる。
【００２３】
化粧用備品部材に固着されている、チップやブラシなどの化粧用備品であるが、硬質なマスカラブラシなどに比べ、チップ等は軟質なＮＢＲなどで製作されている。そのため、どうしてもマスカラブラシなどに比べると耐久性がなく、摩耗が激しく傷んでしまいやすいので、せっかく両端使用可能な化粧用備品部材でも、新しい化粧用備品部材を丸ごと購入するか、容器本体を新たにせざるを得ない。
【００２４】
これに対応するため、直接化粧用備品を化粧用備品部材の棒状部に固着するのみではなく、化粧用備品部材の一端に着脱可能に化粧用備品を装着した。このようにすれば、たとえ軟質な備品が傷んだとしても、化粧用備品部材を丸ごと買い換えることなく、化粧用備品のみを交換して使用を続けることが可能となるため、より経済的で、無駄のないものとなる。なお、部品の交換は一端のみならず、両端とも可能である。
【００２５】
第４、５の発明においては、化粧用備品部材の中央には筒部が形成されており、ここを中心として両側に棒状部が延設されていて、この棒状部前部はそれぞれ化粧用備品が固着可能な形状をしている。さらに、筒部には容器本体内面と接し、摩擦抵抗を生じる弾性体（例えばＯリング）が巻装されているので、容器本体と、化粧用備品部材を取り付け、取り外しを容器本体と弾性体との間の摩擦力で制御することができ、ネジ等の複雑な構造を用いることなく取り付け、取り外しを達成することができる。
【００２６】
第６の発明においては、化粧用備品部材の筒部は、両軸の棒状部より大径に設定されており、容器本体内に形成されている段部に、大径に設定された筒部の端面が当接することにより化粧用備品部材の容器本体挿入限度が定められ、それにより、確実に他方の露出している側の棒状部の突出長さが決定される。
【００２７】
第７の発明においては、容器本体後部開口孔より突出している側の化粧用備品部材の棒状部に、キャップが着脱自在に嵌着されるので、他に外径に影響を与える部材等が介在せず、容器本体の外径は最小を保つことが出来る。
【００２８】
第８の発明においては、化粧用備品部材の棒状部に雄ネジを形成し、キャップにも、棒状部の雄ネジと螺合可能な雌ネジを形成することにより、棒状部とキャップを螺合させ、キャップを棒状部に螺合により装着させたまま、容器本体内よりキャップ及び化粧用備品部材を引き抜くことを可能としている。
【００２９】
これにより化粧用備品部材の容器本体内側の化粧用備品を使用する際には、キャップを引き抜き、化粧用備品部材の前後を入れ替えるというプロセスを省いて、そのままキャップとともに引き抜くだけで、キャップを持ち手にして使用できる。
【００３０】
【発明の実施の形態】
添付した図面に基づいて、本発明の実施形態の棒状化粧材容器を詳細に説明する。
【００３１】
図１は棒状化粧材容器１の縦断面図である。そして図２は、カートリッジ２を構成する筒体４０と、容器本体１０の係合条部１４との同期係合部を示した断面図である。
【００３２】
図１の棒状化粧材容器１は、円筒状の容器本体１０の一方の開口孔１１側にはカートリッジ２が着脱自在に取り付けられ、他方の開口孔１２側には、化粧用備品部材２０がその外面に設けられた雄ネジ２１と容器本体１０内の螺旋溝１３とが螺合することで交換可能となっている。また化粧用備品部材２０両端に固着されたそれぞれの化粧用備品（図１の場合はマスカラブラシ２５ａとチップ２５ｂ）もまた交換可能となっている。
【００３３】
図１を参照しながらさらに詳細に説明を続けると、図３に示すように先筒３０と筒体４０及び竿体５０等によりカートリッジ２が構成され、先筒３０と筒体４０とは相対回転可能に連結されている。カートリッジ２内には、棒状化粧材Ａがその一端部を竿体５０の化粧材保持部５３により保持され、先筒３０と筒体４０の相対回転により、先筒３０の先端開口孔３１より進出可能となる。
【００３４】
竿体５０の棒状部５１の表面には、複数の突起５２が螺旋状に整列した形で配され、筒体４０の先筒３０との連結部に設けられた小径部４２内面に形成される螺旋溝４３に螺合し、竿体５０を前進、後退できるものである。竿体５０端部には先筒３０内に位置するようにカップ状の化粧材保持部５３が配され、これにより棒状化粧材Ａを保持するものであるが、この化粧材保持部５３は、図４に詳しく図示されているように、断面楕円状に形成され、先筒３０内を軸方向に回動不能に摺動する。つまり、竿体５０は先筒３０と回動不能に摺動する関係にあり、筒体４０とは螺合する繰出関係にあるわけで、カートリッジ２は、先筒３０と筒体４０との相対回転により棒状化粧材Ａが進出することになる。
【００３５】
そのため、カートリッジ２の筒体４０下部外面には縦リブ４１が形成され、容器本体１０内に収容された時には、容器本体１０内の係合条部１４と係合し、従って筒体４０は、容器本体１０と同期の回転をすることになる。そのため使用者は容器本体１０内に収容されたカートリッジ２の先筒３０と容器本体１０とを相対回転させることによって、棒状化粧材Ａの進退を可能にすることが出来る。
【００３６】
図５に示すように、容器本体１０の他方の開口孔１２側には、その内面に螺旋溝１３が形成されている。この螺旋溝１３から一方の開口孔１１に向けて複数の係合条部１４が軸方向に延設されている。係合条部１４と螺旋溝１３との間にはフランジ部１７が環状に形成される。
【００３７】
この係合条部１４は、螺旋溝１３を製作する際の回転止めとして利用されるものであるが、それと同時にカートリッジ２の筒体４０の同期係合縦リブ４１との係合にも利用されるものである。
【００３８】
図６に示すように化粧用備品部材２０は、その両端部にそれぞれの化粧用備品２５ａ、２５ｃを保持するように腔部２２ｃ、２２ｄを設けて、それぞれの化粧用備品、第１の実施形態に用いられる図６の場合においてはマスカラブラシ２５ａとリップブラシ２５ｃを固着する。化粧用備品部材２０のほぼ中央外面２０ａには、容器本体１０の他方の開口孔１２側の内部螺旋溝１３に螺合する雄ネジ２１を有している。容器本体１０の他方の開口孔１２より突出する棒状部２２ａもしくは２２ｂには、図１に示すキャップ４の開口部近傍内面に設けられた嵌合凹環状部４ａと着脱自在に嵌着する係合突起２３ａ、２３ｂが配されている。
【００３９】
本発明の一つの特徴に、図１で見られるように、キャップ４は備品部材２０の容器本体１０の開口孔１２側の端面１５より突出した棒状部２２ａもしくは２２ｂに係合することがあげられる。これにより、容器外径の大径化を抑制することが可能となる。
【００４０】
図１の実施形態においては、キャップ４は単体で開口側近傍内面に嵌合凹環状部４ａを形成している。よって棒状部２２ａ、２２ｂの外径をキャップ４の内径とほぼ同径とし、係合突起２３ａ、２３ｂを前記キャップ４の嵌合凹環状部４ａに係合するようにした。
【００４１】
さらなる特徴としては、容器本体１０は、射出成形による金型で製造することができることである。カートリッジ２の先筒３０の係合突起３２と回動可能に嵌合する嵌合凹環状部１６、開口孔１２側内周の螺旋溝１３、およびフランジ部１７を設け、これより螺旋溝１３を金型から抜くための回転止めとしての複数の係合条部１４を一度に製作可能なため、一部材で容器本体１０は製作可能となる。
【００４２】
容器本体の開口孔１２より、螺合して挿入される化粧用備品部材２０は、雄ネジ２１と容器本体１０の螺旋溝１３により案内され、フランジ部１７に当接することで、挿入が終了する。
【００４３】
また、図１を例に取ると、キャップ４の抜き差しは、化粧用備品部材２０の棒状部２２ｂの係合突起２３ｂによって行われる。キャップ４の抜き差しは軸方向の上下のみの運動であり、回転運動に対しては負荷がかからないため、化粧用備品部材２０の係合の状況には何ら影響を与えることがない。
【００４４】
図７は板バネを使用したキャップ１０４を用いた第２の実施形態の化粧用備品部材１２０を示しているが、化粧用備品部材１２０の雄ネジ１２１部の中央に雄ネジ１２１より大径のセンターフランジ１２４を設け、キャップ１０４内面に複数の板バネ６を配したものである。
【００４５】
センターフランジ１２４を基点として左右に、同等の雄ネジ１２１ａ、１２１ｂを形成し、この雄ネジのいずれかを容器本体１０の螺旋溝１３と螺合させるわけであるが、この場合、センターフランジ１２４が容器本体１０の端面１５（図５に示す）に当接することにより、両者の螺合を完了させる。さらにキャップ１０４内に板バネ６を配し、図１に見られるような凹凸嵌合ではなく、板バネ６をキャップ継具１２０の棒状部１２２ａ、１２２ｂのいずれかに当接させることにより板バネ６のバネ力を利用して保持し、キャップ１０４の着脱を可能としている。
【００４６】
この方法を用いても容器外径を太くすることなく、頻繁な使用にも耐えるものとなる。
【００４７】
図８に示した第３の実施形態の化粧用備品部材２２０は、図３の化粧用備品部材２０と使用方法及び着脱方法は同様であるが、以下の点で異なるものである。
【００４８】
マスカラブラシ２０５は化粧用備品部材２２０に直接固着され、他方のチップ２０６は、ホルダー２５０に嵌合され、このホルダー２５０は化粧用備品部材２２０に対して交換可能となっている。
【００４９】
化粧用備品はその性質上、チップ等は軟質のＮＢＲ等で製作するため、マスカラブラシなどと比較すると摩耗が激しく、傷みやすいものである。そのため、化粧用備品部材１２０を更に片方のみ交換可能に構成し、これに対応したものである。これにより使用者は、両端使用の化粧品備品の一方が傷んだとしても、全てを買い換えたり、または化粧用備品部材２２０を丸ごと買い換えたりせずに、簡単にその部品のみを交換することが出来る。また、両方ともに交換可能なホルダータイプとすることも可能である。
【００５０】
図１に示す棒状化粧材容器１の構成は、基本的には容器本体１０、化粧用備品部材２０、キャップ４の３部品のみで構成可能であり、化粧用備品部材２０の両端に設けたブラシ２５ａやチップ２５ｂを除けば、最小の部品点数で多様能の棒状化粧材容器１を提供することが出来るものである。
【００５１】
図９は第４の実施形態を示しており、この棒状化粧材繰出容器３０１のカートリッジ３０２は、円筒状の容器本体３１０に着脱自在であり、容器本体３１０の一方の開口孔３１２側には、図１１、及び１２に見られる化粧用備品部材３２０が着装され、さらにこれを保護するキャップ３０４により、カートリッジ式棒状化粧材繰出容器３０１は構成される。
【００５２】
容器本体３１０の内面は、図１０で見られるように所定位置にローレット３１５を設けて、このローレット３１５を境に段差３１４を設けている。段差３１４を境にしてローレット３１５より開口孔３１２側の内径が他方の、すなわちローレット３５を介して反対側の内径より大きく形成される。
【００５３】
図１１の化粧用備品部材３２０は、化粧用備品設置部材３２８と化粧用備品(この場合ブラシ３２７ａ及びチップ３２７ｂ)よりなり、化粧用備品設置部材３２１は、中央の筒部３２４の外面中央部に環状凹部３２５が設けられ、ここにＯリング３０６が巻装されるとともに、両軸方向に棒状部３２６ａ、３２６ｂを配し、この両端にそれぞれブラシ３２７ａとチップ３２７ｂが固着されている。
【００５４】
筒部３２４のそれぞれの両端面側には、係合条部３２２、３２２’と当接端面３２１、３２１’が形成されている。棒状部３２６ａ、３２６ｂに形成された嵌合凹部３２３、３２３’はそれぞれキャップ３０４に嵌合されるように設計されている。
【００５５】
化粧用備品部材３２０は、容器本体３１０の一方の開口孔３１２側より挿入可能で容器本体３１０の内面のローレット３１５に、化粧用備品部材３２０の筒部３２４に形成した係合条部３２２が係合し、当接端面３２１が係止段部３１４に当接することで露出部３２７の長さを決定している。もちろん化粧用備品部材３２０は着脱自在で、棒状部３２６ａを摘んで引っ張ればＯリング３０６の強い抵抗を感じながら引き抜きが可能であり、今度は化粧用備品を逆にしてから挿入すれば係合条部３２２’がローレット３１５に係合し当接端面３２１’が段部３１４に当接することによって露出部３２７を決定する。
【００５６】
図９における容器本体３１０の内面にはローレット３１５を形成して、使用者がチップ等の使用中に化粧用備品部材３２０が回転しないように配慮されているが、Ｏリング３０６の径寸法を大きめに設定しておくと、その引き抜きトルク及び回転防止トルクはかなり高く、通常ローレット３１５は不要とすることも可能である。
【００５７】
また、キャップ３０４を化粧用備品部材３２０の棒状部３２６ａ、３２６ｂに着脱する程度の操作力では、容器本体３１０から化粧用備品部材３２０が抜けてくることがないため、結局容器本体３１０の外径寸法を小径とすることが出来る。
【００５８】
図９、図１１における化粧用備品部材３２０の特徴は、容器本体３１０の開口孔３１２側内面に一切の螺合部材を使用せず、一つのＯリング３０６の摩擦力のみによって、両端の化粧用備品３２７、３２７’の使用を可能としていることと、キャップ嵌合を化粧用備品部材３２０の棒状部３２６ａ、３２６ｂに形成された嵌合凹部３２３、３２３’で行っていることにある。
【００５９】
また、Ｏリング３０６の摩擦力は、キャップ３０４の棒状部嵌合凹部３２３、３２３’に対しての着脱力よりも強く設定可能である。
【００６０】
図１３及び図１４は、第５の実施形態である棒状化粧材繰出容器４０１を示す。基本的には図９〜１２で示されている第４の実施形態の棒状化粧材繰出容器と仕様は同様であるが、以下の点において異なるものである。
【００６１】
化粧用備品部材４２０の棒状部４２６ａ、４２６ｂの外面上には、雄ネジ４２８ａ、４２８ｂが形成されており、キャップ４０４内にはそれに螺合する雌ネジ４０４ａが形成されている。使用者は化粧用備品部材４２０を使用する際には、まずキャップ４０４を回して棒状部４２６ａ上の雄ネジ４２８ａとの螺合をとき、はずしてから使用する。
【００６２】
さらに本実施形態の特徴としては、容器本体４０３内に納められている側の備品(図１３、１４ではチップ４２５ｂ)を使用する際は、キャップ４０４を回動せずにそのまま容器本体４０３より引き抜く。化粧用備品部材４２０は、筒部４２４に設けた環状凹部４４５に巻装されているＯリング４０６の摩擦力のみによって容器本体４０３内に収装されている。このＯリング４０６の摩擦力より大きい力を持ってキャップ４０４と化粧用備品部材４２０を引き抜けば、キャップ４０４と化粧用備品４２０の棒状部４２６ａは螺合により嵌合しているので、容器本体４０２内に収められていたチップ４２５ｂの側の棒状部４２６ｂが露出する。使用者はキャップ４０４をそのまま持ち、チップ４２５ｂを使用して化粧を施すことが出来る。キャップ４０４をやや通常より長めに設定すれば、持ち易さの点も解決でき、備品として使い勝手のよいものになる。
【００６３】
図９に示す第４の実施形態の容器本体２内の化粧用備品を使用するには、まずキャップ３０４をはずし、容器本体３１０内より化粧用備品部材３２０を引き抜いて上下を入れ替えて再び挿入し、使用をせねばならない。ブラシ３２７ａやチップ３２７ｂなどは手で持って使用する塗布具であり、目元や口元など、顔の部分に化粧を施す道具であるために、それなりに持ち手の長さを必要とする。だが化粧用備品はそれのみでもって化粧を施すには十分な長さがないため、引き抜いた化粧用備品のみで化粧をするのは大変不便であるので、これは必要なプロセスである。
【００６４】
しかし、この第５の実施形態においては、化粧用備品部材４２０はキャップ４０４を装着した状態で使用可能なため、化粧用備品部材４２０自体の長さにキャップ４０４の長さが加わるので、わざわざ備品を入れ替えて持ち手を作る必要がない。そのため、使用者にとってはより使用感と便宜性にこだわった仕様となっている。
【００６５】
図１５、図１６に示すのは、第６の実施形態である棒状化粧材繰出容器５０１である。本実施形態の棒状化粧材繰出容器５０１は、基本的には第３、第４の実施形態のカートリッジ式棒状化粧材繰出容器３０１、４０１と仕様は同様であるが、以下に述べる点において異なっている。
【００６６】
まず、化粧用備品部材５２０の棒状部５２６ａ、５２６ｂ上には、キャップ５０４との嵌合に用いられる、キャップ嵌合凸部５２３、５２３’が形成されている。さらに、図１５によれば各キャップ嵌合凸部５２３より下方に、環状当接凸部５２１が形成されており、容器本体５０３内に化粧用備品５２０が挿入された際、この環状当接凸部５２１は当接段部５１４に当接して、チップ等を露出した状態にするものである。
【００６７】
さらに、環状当接凸部５２１、５２１’の間の筒部５２４には、環状凹部５２５が、上述の第３、第４の実施形態の環状凹部３２５、４４５に比べてかなり幅広く設定されている。ここには第４の実施例のＯリング３０６の代わりに弾性筒体５０６が挿入される。
【００６８】
この弾性筒体５０６は、ＮＢＲ等のゴム材料で出来ており、Ｏリング３０６と同等の働きをするものである。しかし、リング状のＯリング３０６と異なり、円筒状をしているためにＯリング３０６に比べ、摩擦力が格段に大きいことになる。そのため、図１１、図１３における係合条部３２２、４２２を必要としない。
【００６９】
図１７に見られる第７の実施形態において、内筒６１０ｂと外筒６１０ａとの合わせ構造によって容器本体６０３を構成しているものである。なお図示しないが容器本体６０３と組み合わされるカートリッジは、図９におけるカートリッジ３０２が使用可能である。
【００７０】
マテリアルの面から言うと、内筒６１０ｂはプラスティックであり、外筒６１０ａが金属、主にＡｌ(アルミニウム)が使用可能で、見た目の華美性を金属によって演出している。
【００７１】
容器本体６０３の前端部は、カートリッジ係留のための環状凹部６１１が必要なため、この部分のみプラスティックが側片より露出している。カートリッジを構成する筒体との同期係合のための係合条部６１２も、スプラインとして配されている。
【００７２】
この容器本体６０３後部に嵌合される化粧用備品部材６２０も、前記化粧用備品３２０とほぼ同様な仕様であるが、以下の点において異なっている。
【００７３】
化粧用備品部材６２０の筒部６２４における係合条部は設けられておらず、当然これに対応する部位も、容器本体６０３内には存在しない。
【００７４】
筒部６２４の挿入当接面６２１は、容器本体６０３内の外筒６１０ａ、内筒６１０ｂで出来た段部６１４に当接することによってその挿入限界として化粧用備品６２７の露出長さを決定している。
【００７５】
Ｏリング６０６は、外筒６１０ａとの摩擦によって化粧品備品が使用時に回動することを防止するとともに、着脱を可能としている。
【００７６】
化粧用備品６２７の両軸棒状部６２６ａ、６２６ｂには、キャップ６０５との嵌合凹凸は存在しない。それに対応してキャップ６０５も容器本体６０３、外筒６１０ａと同様に金属製とし、図１８に見られるようにその内部に板バネ６０５ｂを備え、この板バネ６０５ｂの棒状部６２６ａ、６２６ｂへの係合によってキャップ６０５を着脱可能なものとしている。当然、板バネ６０５ｂが係合する棒状部６２６ａ、６２６ｂの外径寸法は同寸法に設計されている。
【００７７】
図１９に示されている容器本体７０３は、第８の実施形態の容器本体であり、カートリッジと容器本体との使用方法は図９、図１３および図１７に準ずるものであり、カートリッジとの環状凹部７１１及び同期係合部７１２は、図１７における容器本体６０３の対応する部位と同等の役割をなす。
【００７８】
図１９における容器本体７０３の特徴は、図１７における容器本体６０３と同様、容器本体７０３が内筒７１０ｂ、外筒７１０ａで構成され、内筒７１０ｂがプラスティック、外筒７１０ａがアルミニウム等による金属で構成されている。しかしながら内筒７１０ｂは、外筒７１０ａより長く設定され、キャップ嵌合部７１０ｃを形成している。
【００７９】
キャップ嵌合部７１０ｃには前記図１８における板バネ仕様のキャップ６０５が嵌合する。キャップはキャップ嵌合部７１０ｃに係合しつつ段部７１４に当接してキャップ嵌合を終了する。
【００８０】
また、化粧用備品部材７０４は図１１にある筒部３２４の代わりに、センターフランジ７２９を備え、これより両軸に棒状部７２６ａ及び７２６ｂが突出し、その先端にそれぞれ化粧用備品が固着されている。またそれぞれの棒状部にはＯリング７０６ａ及び７０６ｂが巻装され、センターフランジ７２９を境に化粧用備品部材７０４が着脱可能に容器本体７０３の内筒７１０ｂに係合する。
【００８１】
そのため、
（１）キャップ嵌合は、容器本体側となされるため、キャップの抜き差しで化粧用備品に影響を与えることはない。
【００８２】
（２）上記理由により化粧用備品の棒状部寸法が小径となるため、それに見合ったチップやブラシ（図９、図１２のものに比べ小径）が選定されなければならない。
【００８３】
（３）図１９における化粧用備品を使用した場合、Ｏリングが複数使用されているため、単価が上がる等があげられる。
【００８４】
なお、本発明において用いられているカートリッジであるが、先筒と容器本体を回動させることで、内部の棒状化粧材が繰出繰り下げされる形態のカートリッジであれば、他のものでももちろん使用可能である。
【図面の簡単な説明】
【図１】本発明の第１の実施形態である棒状化粧材容器の縦断面図である。
【図２】図１におけるＢ−Ｂ断面図である。
【図３】同じくカートリッジの一例を示す断面図である。
【図４】図３におけるＣ−Ｃ断面図である。
【図５】第１の実施形態の容器本体の一部破断した斜視図である。
【図６】第１の実施形態で使用される備品部材の一例を示す断面図である。
【図７】第２の実施形態の備品部材とキャップの一例を示す断面図である。
【図８】第３の実施形態の一端が着脱可能なホルダー状となっている備品部材の一例を示す断面図である。
【図９】第４の実施形態において使用されるカートリッジ式棒状化粧材繰出容器の一部断面図である。
【図１０】同じく容器本体の一部断面斜視図である。
【図１１】同じく化粧用備品の一部断面図である。
【図１２】図１１の化粧用備品の矢視図Ｐである。
【図１３】第５の実施形態のカートリッジ式棒状化粧材繰出容器において使用される容器本体、化粧用備品、及びキヤツプの一部断面図である。
【図１４】図１３の状態より、キャップと化粧用備品とが螺合したものを容器本体より引き抜いた状態を示す一部断面図である。
【図１５】第６の実施例を示すカートリッジ式棒状化粧材繰出容器の一部断面図である。
【図１６】図１５で示されているカートリッジ式棒状化粧材繰出容器の化粧用備品部材と弾性体とを示す立体図である。
【図１７】第７の実施形態であるカートリッジ式棒状化粧材繰出容器の容器本体、及び化粧用備品部材を示す一部断面図である。
【図１８】第７及び第８の実施形態のカートリッジ式棒状化粧材繰出容器において使用されるキャップの断面図である。
【図１９】本発明の第８の実施形態であるカートリッジ式棒状化粧材繰出容器の容器本体、及び化粧用備品部材を示す一部断面図である。
【符号の説明】
１・・・棒状化粧材容器
２・・・カートリッジ
４・・・キャップ
４ａ・・・嵌合凹環状部
５・・・マスカラブラシ
６・・・板バネ
１０・・・容器本体
１１、１２・・・開口孔
１３・・・螺旋溝
１４・・・係合条部
１５・・・端面
１６・・・嵌合凹環状部
２０・・・備品部材
２１・・・雄ネジ
２２ａ、２２ｂ・・・棒状部
２３ａ、２３ｂ・・・係合突起
３０・・・先筒
３１・・・開口孔
３２・・・係合突起
４０・・・筒体
４１・・・縦リブ
１０７・・・仕切板
１１７・・・腔部
１１８・・・係合円筒部
１５０・・・ホルダー
【図１】
0004095229.tif 000002
【図２】
0004095229.tif 000003
【図３】
0004095229.tif 000004
【図４】
0004095229.tif 000005
【図５】
0004095229.tif 000006
【図６】
0004095229.tif 000007
【図７】
0004095229.tif 000008
【図８】
0004095229.tif 000009
【図９】
0004095229.tif 000010
【図１０】
0004095229.tif 000011
【図１１】
0004095229.tif 000012
【図１２】
0004095229.tif 000013
【図１３】
0004095229.tif 000014
【図１４】
0004095229.tif 000015
【図１５】
0004095229.tif 000016
【図１６】
0004095229.tif 000017
【図１７】
0004095229.tif 000018
【図１８】
0004095229.tif 000019
【図１９】
0004095229.tif 000020